(57)【要約】【課題】ネックに対する着脱を、大きな力を要することなく、かつ、無駄な動きを要さず円滑に行うことができるカポタストを提供する。【解決手段】支持バー２００と押弦バー３００とを備えたクランプ１００がギターのネック１を挟んだ状態から、各バー２００，３００にまたがって配設された弾性を有する逆Ｕ字状のレバー４００をネック１側に押し込むと、クランプ１００が閉じられ、弦押さえ部３３０の押さえパッド３３２が弦３をネック表面１ａに押さえ付ける。レバー４００を引き出すと開きばね１２０の付勢力でクランプ１００は開き、ネック１からカポタストＣを外すことができる。レバー４００の直線的な往復操作でネック１に対し装着／取り外しを容易に行うことができる。【選択図】図２
2018155839.tif 000002
【特許請求の範囲】
【請求項１】
弦楽器のネックに着脱可能に装着され、弦を前記ネックの表面に押さえ付けるカポタストであって、
前記ネックを挟んでネック裏面側に配される支持バーとネック表面側に配されネック対向面に弦押さえ部が設けられた押弦バーとが、これらバーの一端部に取り付けられた開閉軸を介して開閉可能に支持され、開いた状態で他端側に開口が形成されるクランプと、
前記クランプに設けられ、該クランプを開く方向に付勢する開方向付勢部材と、
前記クランプが前記ネックを挟んだ状態で、前記クランプの開口と反対側に配設され、かつ、前記押弦バーおよび前記支持バーに対し前記ネックの幅方向に略沿った方向にスライド可能かつ弾性的に係合するクランプ開閉部材と、
を具備し、
前記クランプ開閉部材は、前記開閉軸に近接する方向にスライドした際に前記開方向付勢部材の付勢力に抗して前記クランプを閉じて前記ネックを挟み前記弦押さえ部が前記ネックの表面を押圧する状態を保持し、前記開閉軸から離間する方向にスライドした際には前記開方向付勢部材の付勢力によって前記クランプが開くことを許容すること
を特徴とするカポタスト。
【請求項２】
前記クランプ開閉部材は、前記支持バーから前記開閉軸を経て前記押弦バーにわたる外面の周囲において該外面に沿った略Ｕ字状に延在する板ばねを主体としており、その一端部が前記支持バーにスライド可能に係合するとともに他端部が前記押弦バーにスライド可能に係合していることを特徴とする請求項１に記載のカポタスト。
【請求項３】
前記弦押さえ部は前記ネック表面に直接接触する弾性体を有し、該弾性体は前記押弦バーに前記ネックの延びる方向と略平行な揺動軸を介して揺動可能に支持されていることを特徴とする請求項１または２に記載のカポタスト。
【請求項４】
前記押弦バーまたは前記支持バーには、前記ネックの縁部にあてがわれて該ネックに対する前記クランプの位置決めがなされる位置決め部が設けられていることを特徴とする請求項１〜３のいずれかに記載のカポタスト。
【請求項５】
前記クランプの前記ネックに接触する箇所にクッションが設けられていることを特徴とする請求項１〜４のいずれかに記載のカポタスト。
【発明の詳細な説明】
【技術分野】
【０００１】
本発明は、ギターやウクレレ等の演奏補助器具であって、全部の弦の有効弦長を一括して短縮し楽器全体を移調する際に用いるカポタストに関する。
【背景技術】
【０００２】
カポタストは様々なデザインや形式のものが提供されており、ギターのネックを挟み込む構造としては、ばねで固定状態を保持するクリップ状のタイプ、万力のようにネックを上下から挟み込むタイプ、ゴムバンドを引っ掛けて固定するタイプ等が代表的なものとして挙げられる（特許文献１〜３参照）。
【先行技術文献】
【特許文献】
【０００３】
【特許文献１】実用新案登録第３０４３２７３号公報
【特許文献２】特表２０１１−５１５７０９号公報
【特許文献３】特開２０１５−２２５３３５号公報
【発明の概要】
【発明が解決しようとする課題】
【０００４】
カポタストは、例えば演奏の途中に移調したり他のギターに短時間で付け替えたりすることなどを想定すると、ネックに対して大きな力を要することなく円滑に着脱可能であることが理想的とされる。しかし従来のものは、例えばばねの力に抗してレバーを握りネックへの装着状態を解除してから上方に持ち上げてネックから外すといったように、最後にネックから外す動きの前に、その動きと異なる操作が必要であった。このためネックに対する着脱は決して円滑ではなく、また、ばねを用いているものでは大きな力が必要な場合があり、女性や子供にとっては使いづらいものもあった。
【０００５】
本発明は上記事情に鑑みてなされたものであり、ネックに対する着脱を、大きな力を要することなく、かつ、無駄な動きを要さず円滑に行うことができるカポタストを提供することを目的とする。
【課題を解決するための手段】
【０００６】
本発明のカポタストは、弦楽器のネックに着脱可能に装着され、弦を前記ネックの表面に押さえ付けるカポタストであって、前記ネックを挟んでネック裏面側に配される支持バーとネック表面側に配されネック対向面に弦押さえ部が設けられた押弦バーとが、これらバーの一端部に取り付けられた開閉軸を介して開閉可能に支持され、開いた状態で他端側に開口が形成されるクランプと、前記クランプに設けられ、該クランプを開く方向に付勢する開方向付勢部材と、前記クランプが前記ネックを挟んだ状態で、前記クランプの開口と反対側に配設され、かつ、前記押弦バーおよび前記支持バーに対し前記ネックの幅方向に略沿った方向にスライド可能かつ弾性的に係合するクランプ開閉部材と、を具備し、前記クランプ開閉部材は、前記開閉軸に近接する方向にスライドした際に前記開方向付勢部材の付勢力に抗して前記クランプを閉じて前記ネックを挟み前記弦押さえ部が前記ネックの表面を押圧する状態を保持し、前記開閉軸から離間する方向にスライドした際には前記開方向付勢部材の付勢力によって前記クランプが開くことを許容することを特徴とする。
【０００７】
本発明のカポタストは、クランプで弦楽器のネックを挟んだ状態からクランプ開閉部材を開閉軸に近接する方向、すなわちネックの方向に押し込んでスライドさせると、クランプが閉じてネックを強く挟み、ネックに装着された状態となる。このとき、弦押さえ部がネック表面を押圧し、弦がネック表面に押さえ付けられ、移調される。一方、その装着状態からクランプ開閉部材を開閉軸から離間する方向、すなわちネックから離れる方向に引いてスライドさせると、クランプが開き、さらに引く動作をそのまま続けることにより、カポタストはネックから離脱する。
【０００８】
このようにネックに対する装着および取り外しは、クランプ開閉部材をネックの幅方向に略沿って押したり引いたりするワン・アクションでそれぞれ行うことができる。このため、ネックに対するカポタストの着脱を余計な動作を伴わず円滑に行うことができる。また、クランプ開閉部材のスライドは演奏者の腕全体を使って行うことができるため大きな力を与えることができ、結果として着脱の動作を容易に行うことができる。
【０００９】
本発明は、前記クランプ開閉部材は、前記支持バーから前記開閉軸を経て前記押弦バーにわたる外面の周囲において該外面に沿った略Ｕ字状に延在する板ばねを主体としており、その一端部が前記支持バーにスライド可能に係合するとともに他端部が前記押弦バーにスライド可能に係合している形態を含む。この形態によれば、Ｕ字状の板ばねを主体とするクランプ開閉部材を持つことにより、カポタストを取り扱いやすくなる。また、特にカポタストをネックから外す際にクランプ開閉部材に指等を引っ掛けて引っ張ることにより、カポタストを外しやすいという利点がある。
【００１０】
また、本発明は、前記弦押さえ部は前記ネック表面に直接接触する弾性体を有し、該弾性体は前記押弦バーに前記ネックの延びる方向と略平行な揺動軸を介して揺動可能に支持されている形態を含む。この形態によれば、弾性体によって全ての弦を確実かつ一様な押圧力でネック表面に押さえ付けることができ、その結果、良好な演奏音を得ることができる。
【００１１】
また、本発明は、前記押弦バーまたは前記支持バーには、前記ネックの縁部にあてがわれて該ネックに対する前記クランプの位置決めがなされる位置決め部が設けられている形態を含む。この形態によれば、カポタストをネックに装着するにあたってその姿勢を安定させることができ、クランプ開閉部材を操作しやすくなる。
【００１２】
また、本発明は、ネックを傷つけない観点から、前記クランプの前記ネックに接触する箇所にクッションが設けられている形態を好ましいものとする。
【発明の効果】
【００１３】
本発明のカポタストによれば、ネックに対する着脱を、大きな力を要することなく、かつ、無駄な動きを要さず円滑に行うことができるといった効果を奏する。
【図面の簡単な説明】
【００１４】
【図１】本発明の一実施形態に係るカポタストの（ａ）背面図、（ｂ）側面図である。
【図２】同カポタストをギターのネックに装着した状態を示す（ａ）側面図、（ｂ）正面図である。
【図３】同カポタストをギターのネックから取り外した状態、またはこれからネックに装着するときの状態を示す側面図である。
【図４】同カポタストが具備するレバーの（ａ）背面図、（ｂ）側面図、（ｃ）正面図である。
【発明を実施するための形態】
【００１５】
以下、図面を参照して本発明をギター用のカポタストに適用した一実施形態を説明する。
［１］カポタストの構成
図１は一実施形態に係るカポタストＣを示し、図２はカポタストＣをギターのネック１のフレット２間に装着した状態を示している。また、図３はカポタストＣをネック１から取り外した状態、またはこれからネック１に装着するときの状態を示している。本実施形態のカポタストＣは、演奏者がギターを演奏状態に保持した状態、すなわちネック１を概ね水平に保持した状態において、上方からそのネック１に対し着脱可能に装着される。
【００１６】
図１〜図３に示すように、カポタストＣは、支持バー２００と押弦バー３００とが開閉可能に組み合わされてなるクランプ１００と、クランプ１００の開閉操作を行うための環状のレバー（クランプ開閉部材）４００とを備えている。レバー４００は、図１の状態から図３に示すようにクランプ１００から上方に引き出され、その状態でクランプ１００は開き、ギターのネック１に装着可能な状態となる。
【００１７】
図１は、カポタストＣをネック１から外し、レバー４００をクランプ１００側に押し込んで収納した状態を示し、カポタストＣはこの収納状態で保管や持ち運びがなされる。収納状態でクランプ１００はやや開いているがこれ以上は閉じず、最も閉じた状態となる。以下の説明では、特に注釈しない限り、上下・左右といった方向はネック１への装着状態での方向であり、内側はネック１への装着状態においてネック１側と定義する。
【００１８】
クランプ１００を構成する支持バー２００は、ネック１の裏面１ｂにほぼ沿って上下方向に湾曲して延びる主部２１０と、主部２１０の上端から内側に鈍角状に屈曲した湾曲形状の上端部２２０とを有する形状に形成されている。ネック１の裏面１ｂに対向する主部２１０の内面には、各種ゴムあるいは合成樹脂等の弾性体からなるクッション２１５が接着されている。クッション２１５の表面はこの場合、上方から下方にわたり２段の凹凸状に形成されているが、その形状は任意である。
【００１９】
クランプ１００を構成する押弦バー３００は、上下方向に沿って延びる主部３１０と、主部３１０の上端から内側に鋭角状に屈曲した湾曲形状の上端部３２０とを有する形状に形成されている。ネック１の表面１ａに対向する主部はネック１の幅をカバーし得る長さを有し、その主部３１０の内面すなわちネック１への対向面には、弦押さえ部３３０が設けられている。
【００２０】
弦押さえ部３３０は主部３１０に沿って延びる受け板３３１の内面に各種ゴムあるいは合成樹脂等の弾性体からなる押さえパッド（弾性体）３３２が接着されたものである。受け板３３１はネック１に沿って僅かに湾曲しており、押さえパッド３３２も同様に湾曲している。押さえパッド３３２はネック１の表面１ａに押さえ付けられることによりネック１上の全ての弦３をネック１の表面１ａに押さえ付けるものであり、断面形状が例えば三角形状、ホームベース状等に形成され、弦３に接触する先端縁の断面が先鋭に形成されている。受け板３３１は、その長手方向の中央部が左右方向に延びる揺動軸３３３を介して押弦バー３００に揺動可能に支持されている。これにより押さえパッド３３２は、カポタストＣがネック１に装着された状態において左右方向すなわちネック１の延びる方向と略平行な揺動軸３３３を介して揺動可能となっている。
【００２１】
押弦バー３００の上端部３２０はネック１の上縁部に対向し、その内側には上記クッション２１５と同じ材質からなるクッション（位置決め部）３１５が接着されている。押弦バー３００側のクッション１３５の表面はネック１の上縁部にほぼ沿うような湾曲面に形成されている。また、上端部３２０の内面は、図１に示す収納状態で支持バー２００の主部２１０の内面と連続した湾曲面を形成する湾曲面に形成されている。また、支持バー２００の主部２１０の内面上端には、押弦バー３００の上端部３２０の先端面下部３２２に当接することでクランプ１００の収納状態の開き角度を規制するストッパ壁部２１２が形成されている。
【００２２】
押弦バー３００の上端部３２０には上方に開口する溝３２３が形成されており、その溝３２３に支持バー２００の上端部２２０が嵌め込まれて上端部２２０，３２０どうしが回転可能に重畳している。そしてその状態で、上端部２２０，３２０どうしが左右方向に延びる開閉軸１１０によって回転可能に結合されている。これによりクランプ１００は開閉軸１１０を介して開閉可能に支持され、図３に示すように開いた状態で他端側（下端側）に開口１００ａが形成される。開閉軸１１０には、クランプ１００を開く方向に付勢する開きばね（開方向付勢部材）１２０が嵌め込まれている。開きばね１２０は圧縮状態とされたねじりコイルばねであり、両端の各腕部１２２，１２３が、押弦バー３００および支持バー２００の各上端部２２０，３２０に形成された内壁２２１，３２１にそれぞれ弾性的に係合している。
【００２３】
支持バー２００における主部２１０の左右の側面には、主部２１０に沿って僅かに湾曲して延びるガイド溝２１１が形成されている。一方、押弦バー３００における主部３１０の左右の側面にも、主部３１０に沿って僅かに湾曲して延びるガイド溝３１１が形成されている。
【００２４】
レバー４００は、細長い板ばね材を湾曲加工して得た板ばねからなる弾性部４１０を主体とするものであり、クランプ１００に対し、開口１００ａ側とは反対側の上方に配設されている。図１に示すように、レバー４００の弾性部４１０は、支持バー２００から開閉軸１１０を経て押弦バー３００にわたる外面の周囲において該外面に沿った略Ｕ字状（図１〜図３では逆Ｕ字状）に延在する形状に形成されている。
【００２５】
図４に示すように、弾性部４１０の一端部には支持バー２００への係合部４２０が設けられ、他端部には押弦バー３００への係合部４３０が設けられている。支持バー２００への係合部４２０は、二股状に形成された係合片４２１の下端部の内側に、それぞれ一対のコロ４２２が左右方向に延びる回転軸４２３を介して回転自在に支持された構成となっている。係合部４３０は、支持バー２００に対し、二股の係合片４２１が支持バー２００を挟み、両側のコロ４２２が左右のガイド溝２１１に転動可能に嵌め込まれて係合している。
【００２６】
これと同様に、押弦バー３００側の係合部４３０も、二股状に形成された係合片４３１の下端部の内側に、それぞれ一対のコロ４３２が左右方向に延びる回転軸４３３を介して回転自在に支持された構成となっており、押弦バー３００に対し、二股の係合片４３１が押弦バー３００を挟み、両側のコロ４３２が左右のガイド溝３１１に転動可能に嵌め込まれて係合している。
【００２７】
なお、係合部４２０，４３０は、弾性部４１０と別体であって溶接等の手段で弾性部４１０の端部に固着されて設けられている形態が挙げられるが、この他には、弾性部４１０と一体に形成されて設けられたものであってもよい。
【００２８】
各係合部４２０，４３０は、コロ４２２，４３２を介して支持バー２００および押弦バー３００の各ガイド溝２１１，３１１に沿ってネック１の幅方向すなわち上下方向にスライド可能に係合している。これにより、レバー４００は、上述したようにクランプ１００から上方に引き出されたり下方に押し込まれたりする。
【００２９】
図１（ｂ）に示すように収納状態でクランプ１００を側方から見た場合において、
左右に並んで上下方向に延びるガイド溝２１１，３１１はおおよそ平行であるが、両者の間隔は、長さ方向の中間点付近において最大となるように設定されている。したがってレバー４００は、コロ４２２，４３２がその中間点を通るときに最も大きく開く。
【００３０】
［２］カポタスト自体の動作
以下、ネック１に装着しない状態でカポタストＣがどのように動くかを説明する。
【００３１】
［２−１］収納状態
カポタストＣにおいては、図１に示すように、レバー４００の下端部の回転軸４２３，４３３で支持されている各コロ４２２，４３２（図１では不図示）が各ガイド溝２１１，３１１の下端部に到達するまでレバー４００がクランプ１００に押し込まれて収納状態となる。この収納状態で、レバー４００の弾性部４１０は図４（ｂ）に示す無負荷の状態よりも開いており、したがってレバー４００には、係合部４２０，４３０が互いに近付いて閉じようとする弾性が生じている。この弾性によるレバー４００の弾発力はクランプ１００を開くように付勢している開きばね１２０の付勢力よりも強いものとなっている。したがってレバー４００の弾性によりクランプ１００は閉じられるが、支持バー２００のストッパ壁部２１２が押弦バー３００の上端部３２０の先端面下部３２２に当接することで、クランプ１００は収納状態の開き角度に規制される。
【００３２】
［２−２］クランプ開放動作
図１に示す収納状態からレバー４００をクランプ１００から上方に引いていくと、コロ４２２，４３２が各ガイド溝２１１，３１１に沿って転動することによりレバー４００は開いていく。レバー４００が開いていくため、弾性部４１０の弾発力はしだいに強くなっていく。そしてガイド溝２１１，３１１の中間付近の最も弾発力が強くなる点（レバー４００が最も開いた点）をコロ４２２，４３２が通過すると、レバー４００は閉じようとし、その弾発力に付勢されてレバー４００はコロ４２２，４３２が各ガイド溝２１１，３１１の上端部に到達するまで一気にガイド溝２１１，３１１に沿って上方にスライドする。
【００３３】
一方、この動作に追従し、レバー４００の弾性による拘束が解かれたクランプ１００が開きばね１２０の付勢力で開く（図３）。クランプ１００の開き角度は、レバー４００が支持バー２００と押弦バー３００に係合していることにより規制されるが、支持バー２００と押弦バー３００との間にネック１が入り込むことが可能な程度に設定される。
【００３４】
［２−３］クランプ閉じ動作
図３に示すクランプ１００が開いた状態から、開きばね１２０の付勢力に抗してレバー４００をクランプ１００側に押し込んでいくと、コロ４２２，４３２が各ガイド溝２１１，３１１に沿って転動することによりレバー４００は開いていき、弾性部４１０の弾発力が強くなっていくとともに、クランプ１００はレバー４００に締め付けられ閉じられていく。そして、ガイド溝２１１，３１１の中間付近の最も弾発力が強くなる点（レバー４００が最も開いた点）を通過すると、レバー４００は閉じようとし、その弾発力に付勢されてレバー４００はコロ４２２，４３２が各ガイド溝２１１，３１１の下端部に到達するまで一気にガイド溝２１１，３１１に沿って下方にスライドする。これによりカポタストＣは図１に示す収納状態に戻る。
【００３５】
［３］ネックに対する着脱動作
次に、カポタストＣをギターのネック１に装着し、次いで、取り外す動作を説明する。
【００３６】
［３−１］ネックへの装着
ネック１に装着するときには、図３に示すように、レバー４００をクランプ１００から引き出してクランプ１００を開き、支持バー２００を演奏者側（図３で左側）に配し、押弦バー３００を演奏者の前側（図３で右側）に配して、図２（ｂ）に示すネック１のフレット２の間に上方からクランプ１００をネック１に嵌め込む。クランプ１００は、支持バー２００がネック１の裏面１ｂ側に配され、押弦バー３００がネック１の表面１ａ側に配されてネック１を挟んだ状態となる。
【００３７】
次いで、レバー４００を押さえてクッション３１５をネック１の上縁部にあてがって位置決めした状態から、上記「クランプ閉じ動作」を行う。すなわち、レバー４００を下方のネック１方向に押し込む。レバー４００を押し込むとクランプ１００がレバー４００に強く締め付けられ、クランプ１００がネック１を強く挟み、図２に示すようにカポタストＣがネック１に装着される。この装着状態で弦押さえ部３３０の押さえパッド３３２はネック１の表面１ａに押さえ付けられ、これにより全ての弦３がネック１の表面１ａに押さえ付けられ、移調がなされる。
【００３８】
［３−２］ネックからの取り外し
ネック１からカポタストＣを外すときには、レバー４００を掴んで上記「クランプ開放動作」を行う。すなわち、レバー４００をネック１から離れる上方に引き出す。レバー４００を引き出すとクランプ１００が開いてネック１への装着が外れ、さらに引き出す動作をそのまま続けるとカポタストＣはネック１から離脱する。
【００３９】
［４］本実施形態の効果
本実施形態のカポタストＣによれば、ネック１に対する装着および取り外しは、レバー４００を上下方向（ネック１の幅方向）に沿って押したり引いたりする直線的なワン・アクションでそれぞれ行うことができる。このため、ネック１に対するカポタストＣの着脱を余計な動作を伴わず円滑に行うことができる。また、クランプ１００に対してのレバー４００のスライド動作は演奏者の腕全体を使って行うことができるため大きな力を与えることができ、結果として着脱の動作を容易に行うことができる。
【００４０】
また、Ｕ字状のレバー４００は握ったり摘んだりすることが容易であり、また、特にレバー４００を引き出してカポタストＣをネック１から外す際にはレバー４００に指を引っ掛けて操作するとレバー４００を引き出しやすく、操作性がよい。また、レバー４００を持つことにより持ち運びの際などにおいてカポタストＣを取り扱いやすい。さらに、収納状態でレバー４００とクランプ１００との間の間隔がある程度空いているため、レバー４００をフックに引っ掛けるなどして保管することができる。
【００４１】
また、ネック１に装着した状態で側方から見た外形がネック１を取り囲む卵形状にコンパクトに収まり、突起物が突出していないため、演奏者の邪魔になりにくく、外観の面でも好ましい。また、コンパクトであるため演奏者の手や腕が不用意にカポタストＣに当たりにくく、手や腕が当たることによってチューニングがずれるといったおそれがない。さらに、収納状態においてもコンパクトであるため、保管性がよい。
【００４２】
また、弦押さえ部３３０の押さえパッド３３２は押弦バー３００に揺動軸３３３を介して揺動可能に支持されているため、押さえパッド３３２によって全ての弦３を確実かつ一様な押圧力でネック１の表面１ａに押さえ付けることができ、その結果、良好な演奏音を得ることができる。
【００４３】
また、図３に示すようにカポタストＣをネック１に装着するときに押弦バー３００側のクッション３１５をネック１の上縁部にあてがうことより、クッション３１５がへこんでネック１に対するクランプ１００の位置決めがなされる。このため、カポタストＣをネック１に装着するにあたってその姿勢を安定させることができ、レバー４００を操作しやすくなる。
【００４４】
本実施形態の支持バー２００および押弦バー３００は、剛性を有する樹脂、金属、木材等を材料として形成されるが、ネック１には、クッション２１５，３１５が直接接触するため、ネック１を傷つけるおそれがない。
【００４５】
なお、上記実施形態のカポタストＣはギター用として説明したが、ギターとしては、アコースティックギター、エレキギター、エレキアコースティックギター、ベースギター等、あらゆる種類のギターが挙げられる。また、本発明のカポタストは、ギターの他に、ウクレレ、バンジョー、マンドリン等の弦楽器に対応させたものも勿論含まれる。
【産業上の利用可能性】
【００４６】
本発明は、ギターやウクレレ等の弦楽器を移調するカポタストＣとして好適に利用される。
【符号の説明】
【００４７】
１…ネック
１ａ…ネックの表面
１ｂ…ネックの裏面
２…フレット
３…弦
１００…クランプ
１００ａ…クランプの開口
１１０…開閉軸
１２０…開きばね（開方向付勢部材）
２００…支持バー
２１５…クッション
３００…押弦バー
３１５…クッション（位置決め部）
３３０…弦押さえ部
３３２…押さえパッド（弾性体）
３３３…揺動軸
４００…レバー（クランプ開閉部材）
Ｃ…カポタスト
【図１】
2018155839.tif 000003
【図２】
2018155839.tif 000004
【図３】
2018155839.tif 000005
【図４】
2018155839.tif 000006